(57)【要約】【課題】ストリームキャッシュ制御手段及びキャッシュメモリを設けることにより、パケット受信処理の効率を改善し、選局処理の高速化を目的とするデジタル放送受信機を提供する。【解決手段】デジタル放送受信機にストリームキャッシュ制御手段１０２とストリームキャッシュメモリ１０７を設けることによって、デジタル放送信号のパケット分離手段１０１とは別に、デジタル放送信号の必要なパケットをストリームキャッシュメモリ１０７へ取得しておき、選局処理の過程で必要になった情報が、ストリームキャッシュメモリ１０７に既に保存されていれば、デジタル放送信号の受信待ちを行わずにストリームキャッシュメモリ１０７から選局情報を取得するデジタル放送受信装置により上記課題を達成する。【選択図】          図１
2004312629.tif 000002
【特許請求の範囲】
【請求項１】
少なくとも１つ以上のチャンネル仕様情報を含んでいるパケットと映像ストリームや音声ストリームを含んでいるパケットが多重化されて構成されているデジタル放送信号を受信するデジタル放送受信装置であって、
前記チャンネル仕様情報を含むパケットのパケット識別番号を抽出し、登録した後、前記パケット識別番号を利用してチャンネル選択に必要な情報を含むパケットを分離するパケット分離手段と、
前記パケット分離手段が前記パケットのパケット分離動作を行った結果、前記パケット識別番号が、前記パケット分離手段へ登録されていない場合、チャンネル選択に必要な情報を含む前記パケットをパケット識別番号ごとに一時的に格納するストリームキャッシュメモリと、
前記パケット識別番号に応じて、前記ストリームキャッシュメモリに前記チャンネル選択に必要な情報を含むパケットの書込み及び読み出しの制御を行い、読み出した前記パケットを後段処理手段であるセクションフィルタ及びＡ／Ｖデコーダに転送するストリームキャッシュ制御手段と、
前記ストリームキャッシュ制御手段より転送される前記チャンネル選択に必要な情報を含むパケットから所望の前記チャンネル仕様情報のビットストリームを選択し、前記チャンネル仕様情報を分離するセクションフィルタと、
前記チャンネル仕様情報及び前記チャンネル選択に必要な情報に従って、前記映像や音声のビットストリームをベースバンドの映像信号や音声信号に復号するＡ／Ｖデコーダと、
を備えたことを特徴とするデジタル放送受信装置。
【請求項２】
前記ストリームキャッシュメモリは、デジタル放送信号パケットのパケット識別番号別に区切られているメモリ構成となっていることを特徴とする請求項１に記載のデジタル放送受信装置。
【請求項３】
前記ストリームキャッシュメモリは、すくなくとも前記パケット識別番号が示す前記パケットを格納できる大きさを持ち、格納されるパケットのヘッダ情報が開始を示すパケットを先頭として、複数のパケットが格納されることを特徴とする請求項１または請求項２に記載のデジタル放送受信装置。
【請求項４】
前記ストリームキャッシュメモリに格納された前記パケットを前記セクションフィルタや前記Ａ／Ｖデコーダの処理を行う前にパケット内容の解析を行い、選局に必要な情報を判別し、選局に必要な情報を持つパケットのみ格納するようにしたパケット種類判定手段を持つことを特徴とする請求項１から３のいずれか１項に記載のデジタル放送受信装置。
【請求項５】
さらに、前記パケット種類判定手段は、前記ストリームキャッシュメモリに格納されたパケットの種類を判定した後、パケット内の個々の情報を解析し、映像または音声の仕様を示す映像ストリームや音声ストリームのヘッダ情報を先行して取得することを特徴とする請求項４に記載のデジタル放送受信装置。
【発明の詳細な説明】
【０００１】
【発明の属する技術分野】
本発明は、デジタル放送信号を受信し、映像や音声、チャンネル仕様情報を取得にかかる待ち時間を減らし、高速に選局を行うデジタル放送受信装置に関するものである。
【０００２】
【従来の技術】
従来のデジタル放送受信装置の一般的な選局処理では、プログラムアソシエーションテーブル（ＰＡＴ）、プログラムマップテーブル（ＰＭＴ）等の選局情報（ＰＳＩ；Ｐｒｏｇｒａｍ  Ｓｐｅｃｉｆｉｃ  Ｉｎｆｏｒｍａｔｉｏｎ）の取得、Ａｕｄｉｏ／ＶｉｄｅｏのＥＳ（Ｅｌｅｍｅｎｔａｒｙ  Ｓｔｒｅａｍ）のＰＩＤの確定、Ｖｉｄｅｏ／Ａｕｄｉｏストリームの再生開始、Ｖｉｄｅｏ／Ａｕｄｉｏストリームの使用情報の取得、デコードおよび、映像／音声の出力開始の順番に行われ、上記の一連の選局処理は、順次処理である。
【０００３】
そのため、デジタル放送信号から映像や音声を識別するための識別番号（ＰＩＤ；パケットＩＤ）を取得するためには、デジタル放送信号からチャンネル仕様情報が再送してくるのを待たなければならなかった。
【０００４】
さらに、チャンネル仕様情報の受信により得られた上記映像のＰＩＤや音声ＰＩＤを有する放送信号を分離後、Ａ／Ｖデコーダ部によるデコード処理が行われるが、実際に映像や音声のベースバンド信号として出力されるまでには、映像の大きさ、使用バッファサイズ、音声の周波数やチャンネル数などの情報を取得しなければならないため、これら前記情報が放送信号の映像ストリーム、音声ストリームに再送されるまで待たなければならなかった。
【０００５】
図５は、従来技術によるＰＭＴを取得する場合について示す図であるが、ＰＭＴの情報が含まれているＰＡＴを取得した後、そのＰＡＴに含まれているＰＭＴが再送されてくるまで待つ必要が生ずる。このため、選局処理にあたって、処理遅延が生ずることなる。
【０００６】
放送信号から情報取得するための再送待ちは、デジタル放送受信装置では、ユーザーが選局動作をしてから実際に視聴できるまでの選局処理よるタイムラグとして直接現れるため、このタイムラグがデジタル放送受信機では、弱点とされている。
【０００７】
そこで、このデジタル放送受信装置の選局処理タイムラグを解消するために、選局する際の高速化の試みや提案がされている（例えば、特許文献１参照）。
【０００８】
これらの上記の提案は、特定のデジタル放送事業の範例を利用して、かつて選局したことのあるサービスのチャンネル仕様情報の内容を保存し、再度同じサービスが選局されたときに、あらかじめ保存したチャンネル仕様情報を用いて、必要な情報取得までの待ち時間を減らし、選局処理を高速化しようとするものである。
【０００９】
【特許文献１】
特開平９−２３３４１９号公報
【００１０】
【発明が解決しようとする課題】
しかしながら、上述した提案の例では、特定のデジタル放送事業の範例や過去に選局したチャンネル仕様情報の履歴などの経験的な情報を利用して高速化を達成しているものであるため、他のデジタル放送で記録されたＤ−ＶＨＳテープの再生内容やパッケージメディアの再生内容など、この範例が適用できないコンテンツについては、従来方法の選局処理と変わらなくなってしまう問題がある。
【００１１】
そこで、本発明は、これらの問題点に鑑みなされたもので、放送信号から情報取得するための再送待ちを減らして、なおかつ、放送運用内容やコンテンツの内容によらずに、選局処理によるタイムラグを削減することが可能なデジタル放送受信装置を提供することにある。
【００１２】
【課題を解決するための手段】
本発明に係るデジタル放送受信装置は、少なくとも１つ以上のチャンネル仕様情報を含んでいるパケットと映像ストリームや音声ストリームを含んでいるパケットが多重化されて構成されているデジタル放送信号を受信するデジタル放送受信装置であって、前記デジタル放送信号の所望する前記チャンネル仕様情報を含むパケットのパケット識別番号を抽出し、登録した後、前記パケット識別番号を利用してチャンネル選択に必要な情報を含むパケットを分離するパケット分離手段と、前記パケット分離手段が分離対象の前記パケットのパケット識別番号を抽出したときに、前記パケット識別番号が、前記パケット分離手段により登録されていない場合、前記パケット識別番号を利用してチャンネル選択に必要な情報を含む前記パケットをパケット識別番号ごとに一時的に格納するストリームキャッシュメモリと、前記識別番号に応じて、前記ストリームキャッシュメモリに前記必要な情報を含むパケットの書込み及び読み出しの制御を行い、読み出した前記パケットを後段処理手段であるセクションフィルタ及びＡ／Ｖデコーダに転送するストリームキャッシュ制御手段と、前記ストリームキャッシュ制御手段により、転送される前記チャンネル選択に必要な情報を含むパケットから所望の前記チャンネル仕様情報のビットストリームを選択し、前記チャンネル仕様情報を分離するセクションフィルタと、前記チャンネル仕様情報及び前記チャンネル選択に必要な情報に従って、前記映像や音声のビットストリームをベースバンドの映像信号や音声信号に復号するＡ／Ｖデコーダとを備えたことを特徴とする。
【００１３】
本発明に係るデジタル放送受信装置は、前記ストリームキャッシュメモリが、デジタル放送信号パケットのパケット識別番号別に区切られているメモリ構成となっていることを特徴とする。
【００１４】
本発明に係るデジタル放送受信装置は、前記ストリームキャッシュメモリが、前記パケット識別番号と同一のパケットを格納できる大きさを持ち、格納されるパケットのヘッダ情報がストリームの開始を示したパケットを先頭として、複数のパケットが格納されることを特徴とする。
【００１５】
本発明に係るデジタル放送受信装置は、前記ストリームキャッシュメモリに格納された前記パケットをセクションフィルタやＡ／Ｖデコーダの処理を行う前に解析を行い、選局に必要な情報に限定して取得するようにしてパケットの種類を判定して、適切なメモリ容量を制限するパケット種類判定手段を持つことを特徴とする。
【００１６】
本発明に係るデジタル放送受信装置は、前記パケット種類判定手段が、前記ストリームキャッシュメモリに格納されたパケットの種類を判定した後、パケット内の個々の情報を解析し、音声周波数または映像及び音声の情報を先行して取得することを特徴とする。
【００１７】
本発明によれば、ストリームキャッシュメモリと、ストリームキャッシュ制御手段を設けて、全ての選局に必要な情報に対して同時並行的に処理することにより、従来の選局方法で逐次処理を行っていたデジタル放送信号の受信待ち時間を減らしたデジタル放送受信装置を提供することにより、上記のような課題を解決したものである。
【００１８】
【発明の実施の形態】
以下、本発明の実施の形態について図を用いて説明する。
【００１９】
図１は、本発明の第１の実施形態に係るデジタル放送受信装置を示すブロック図である。
【００２０】
本発明の第１の実施形態に係るデジタル放送受信装置は、チューナおよび復調部１００と、パケット分離手段１０１と、ストリームキャッシュ制御手段１０２と、ストリームキャッシュメモリ１０７と、セクションフィルタ１０４と、Ａ／Ｖデコーダ１０５と、１つあるいは複数のＤＭＡＣ１０３、１０６とを備える。
【００２１】
チューナおよび復調部１００は、ＱＰＳＫ（Ｑｕａｄｒａｔｕｒｅ  Ｐｈａｓｅ  Ｋｅｙｉｎｇ）やＶＳＢ（Ｖｅｓｔｉｇｉａｌ  Ｓｉｄｅ  Ｂａｎｄ）などのアナログ変調波で送信されてきたアナログ放送信号をトランスポートストリームという形態で多重化されているデジタル放送信号に復調する。
【００２２】
復調されたデジタル信号は、トランスポートストリームという形態で多重化して伝送されている。また、このトランスポートストリームは、所定のバイトのトランスポートパケットで構成されており、各トランスポートパケットのパケットは、パケットのヘッダ部にＰＩＤ（Ｐａｃｋｅｔ  Ｉｄｅｎｔｉｆｉｃａｔｉｏｎ；パケット識別子、以下、ＰＩＤという。）が存在する。これにより、そのパケットの属性を特定できる。また、ＰＡＴやＰＭＴ等のＰＳＩ、ＳＩなどは、セクションというデータ構造を有し、トランスポートパケットのペイロードの部分に格納されている。
【００２３】
復調されたデジタル信号は、次の段階であるパケット分離手段（以下、ＰＩＤフィルタという）１０１に送られる。ＰＩＤフィルタ１０１は、チューナおよび復調部１００により復調されたデジタル放送信号に含まれるトランスポートパケットから、デジタル放送の選局に必要な情報を含むトランスポートパケットを示す前記ＰＩＤを登録し、デジタル放送信号から前記ＰＩＤに対応するトランスポートパケットの選択、抽出を行う。抽出されたトランスポートパケット群は、ＰＩＤごとにトランスポートパケットの種類（ある１番組に関連する映像、音声、ＰＳＩ、ＳＩ等）に分類することができる。
【００２４】
セクションフィルタ１０４は、ＰＩＤフィルタ１０１により抽出されたトランスポートパケットの内、セクション構造のデータ（ＰＳＩ，ＳＩ等）を含むトランスポートパケットを解析し、その中から、例えば、ＰＡＴやＰＭＴなどの番組仕様情報、ＥＩＴなどの番組配列情報のセクション情報を抽出する。
【００２５】
ＡＶデコーダ１０５は、後述するストリームキャッシュ制御手段１０２によって選択されたトランスポートパケットのうち映像と音声のエレメンタリーストリームを含むトランスポートパケットを受けてベースバンドの映像信号や音声信号に復号する。映像や音声のトランスポートパケットは前述した番組仕様情報により特定され、そのトランスポートパケット（もしくはそれに含まれるＰＥＳかＥＳ）をＡＶデコーダ１０５によりデコードする。このように、複数の番組が多重化されたトランスポートパケットから、ユーザーが希望する１つの番組の選択が可能となり、上記セクションフィルタ１０４によって抽出された番組仕様情報より映像又は音声のトランスポートパケットのＰＩＤを求めることができる。
【００２６】
ここで、ユーザーからの番組選択情報とトランスポートパケットから得られる番組仕様情報とを合わせて、例えば、ＣＰＵを含む制御手段（図１には図示していない）の指示により、１つ若しくは複数の番組に関連する映像、音声ストリームのトランスポートパケットが選択出力される。
【００２７】
ストリームキャッシュ制御手段１０２は、パケット分離手段１０１により選択されたパケット群またはストリームキャッシュメモリ１０７に格納されているトランスポートパケット群のいずれかを選択し、上記Ａ／Ｖデコーダ１０５及びセクションフィルタ１０４に送出する。なお、ストリームキャッシュ制御手段１０２は、パケット分離手段１０１を通過したトランスポートパケット群をストリームキャッシュメモリ１０７に書き込む場合には、同一のＰＩＤ毎に分割されたアドレス領域に書き込むように（図３に図示）制御する。
【００２８】
また、ストリームキャッシュメモリ１０７の前記ＰＩＤごとに分割されたアドレス領域から一時的に格納されているトランスポートパケット群を、ストリームキャッシュ制御手段１０２によって、後述する読み出し動作に従って、読み出される。そして、このトランスポートパケット群は、Ａ／Ｖデコーダ１０５及びセクションフィルタ１０４に送出されて、ＰＡＴなどの番組特定情報、音声の受信情報等が分離される。
【００２９】
ストリームキャッシュ制御手段１０２により送出されるトランスポートパケットの内容の種類に応じて分けられたトランスポートパケット群の各ビットストリームは、１つあるいは複数のストリーム転送手段（ＤＭＡＣという）１０３、１０６を介して、セクションフィルタ１０４やＡ／Ｖデコーダ１０５へ転送される。
【００３０】
次に、ストリームキャッシュ制御手段１０２及びストリームキャッシュメモリ１０７の動作について詳しく説明する。
【００３１】
図３は、ストリームキャッシュメモリ１０７のメモリ構成を示す図である。
【００３２】
ストリームキャッシュメモリ１０７のメモリ構成は、図３に示すように、トランスポートパケットのＰＩＤ別に分割されおり、この分割されたメモリ領域にトランスポートパケット群が保存される。ストリームキャッシュメモリ１０７に保存されるトランスポートパケットは、映像・音声データそのものではなく、ＰＳＩ情報、映像フォーマット、必要バッファサイズ、スキャン方法、音声サンプリングレート情報などの時系列に左右されない情報を含むパケットである。従って、ストリームキャッシュメモリ１０７に記録するトランスポートパケットは、トランスポートストリームが連続している間、変化しない情報であって、ストリームキャッシュメモリ１０７への記録は、ユーザーが希望するチャンネルの選局情報を事前に上記パケットから取得するために行うものである。
【００３３】
これよりストリームキャッシュ制御手段１０２がストリームキャッシュメモリ１０７に保存されたパケット群に対して行うの制御動作について説明する。
【００３４】
従来の選局処理では、選局チャンネルに関するＰＩＤは、あらかじめＰＩＤフィルタ１０１に登録されている。これにより、トランスポートストリームから視聴番組に必要なＰＩＤのＴＳパケットのみをＰＩＤフィルタで抽出し、セクションフィルタやＡ／Ｖデコーダへ転送している。また、ＰＩＤフィルタ１０１では、選局チャンネルに関係しないＰＩＤ、つまりＰＩＤフィルタ１０１に登録されていないＰＩＤのＴＳパケットは取得されずに捨てられているのである。
【００３５】
本発明では、従来の選局処理では捨てられていたＰＩＤフィルタに登録されていないＰＩＤのトランスポートパケット群は、ストリームキャッシュ制御手段１０２を通してストリームキャッシュメモリ１０７へ保存する。その後、ストリームキャッシュメモリ１０７へ転送しつづけていたトランスポートパケット群のＰＩＤがＰＩＤフィルタへ登録されたとき、ストリームキャッシュメモリ１０７に保存していたトランスポートパケット群は、ストリームキャッシュ制御手段１０２によって読み出され、パケット分離手段１０１から出力されるトランスポートパケットの信号の隙間を縫って１回だけセクションフィルタ１０４やＡ／Ｖデコーダ１０５へ出力する。その後、ＰＩＤフィルタには、放送信号へ当該ＰＩＤのトランスポートパケットが到着次第ＰＩＤフィルタから抽出されるようになるので、ストリームキャッシュ制御手段１０２では、ストリームキャッシュメモリ１０７への当該ＰＩＤのトランスポートパケットの転送を停止するように作用する。
【００３６】
次に、ストリームキャッシュメモリ１０７にパケットを保存する場合のストリームキャッシュ制御手段１０２の動作について説明する。
【００３７】
ストリームキャッシュ制御手段１０２は、ＰＩＤフィルタ１０１で選択されなかったトランスポートパケット、即ち、ＰＩＤフィルタ１０１に登録されていないＰＩＤを有するトランスポートパケットをストリームキャッシュメモリ１０７に保存する。
【００３８】
ストリームキャッシュメモリ１０７に保存するトランスポートパケットの条件としては、ＰＩＤフィルタ１０１に登録されていないＰＩＤを有するトランスポートパケットであること、なおかつスタッフィングを示すＰＩＤのトランスポートパケットでないことである。さらに、上記条件に合致していても、ＰＩＤが同一のパケットストリームのうち、セクションデータの先頭やＰＥＳ（Ｐａｃｋｅｔｉｚｅｄ  Ｅｌｅｍｅｎｔａｒｙ  Ｓｔｒｅａｍ）の先頭を示すユニット開始を示すフラグ（ＴＳパケットヘッダのＵｎｉｔ＿Ｓｔａｒｔ＿Ｉｎｄｉｃａｔｏｒ）が真（“１”）となるパケットが到着してからストリームキャッシュメモリ１０７のＰＩＤに割り振られたメモリ領域のサイズ分のパケットである。なお、これ以降のパケットは、選局に必要な情報パケットでないため、ストリームキャッシュメモリ１０７には保存されない。
【００３９】
このように、ストリームキャッシュ制御手段１０２は、ストリームキャッシュメモリ１０７に保存する上記条件に合致したパケットが到着したときに、ストリームキャッシュメモリ１０７のＰＩＤ別に割り当てた領域における先頭配置位置を算出し、パケットをストリームキャッシュメモリ１０７に転送し、保存する。
【００４０】
なお、セクションフィルタ１０４で扱うセクション情報に関しては、最低限、プログラムアソシエーションテーブル（ＰＡＴ）やプログラムマップテーブル（ＰＭＴ）が収まる容量のストリームキャッシュメモリ１０７が必要である。
【００４１】
ここで、ＰＡＴは、ＰＭＴを伝送するトランスポートパケットのＰＩＤを指定するものである。ＰＡＴの登録内容であるＰＭＴのＰＩＤから選択されたＰＭＴは、当該番組を構成する各符号化信号を伝送するトランスポートパケットのＰＩＤ、例えば、映像信号のＰＩＤ、音声信号のＰＩＤが記載されている。よってＰＡＴ，ＰＭＴを取得することにより選局するために必要なＰＩＤの情報を取得することができる。
【００４２】
以上、説明したように、デジタル放送信号からパケットを抽出する場合、先行してストリームキャッシュメモリ１０７から選局に必要なパケット情報を取得することが出来るため選局時間を短縮することが可能である。
【００４３】
次に、ストリームキャッシュメモリ１０７の特徴を生かした本発明の第２の実施形態について図２に基づいて説明する。なお、前記第１の実施形態示した構成と同一構成には同一符号を付して説明を省略する。
【００４４】
図２は、本発明の第２の実施形態に係るデジタル放送受信装置を示すブロック図である。本発明に係る第２の実施形態は、新たに、発明に係る第１の実施形態にストリーム種類解析判定手段２０８を追加したものである。
【００４５】
第１の実施形態で説明したように、入力ストリームをストリームキャッシュメモリ２０７に保存する対象パケットは、有効なＰＩＤを有するトランスポートパケットであるが、必ずしも選局処理するにあたって、すべてのトランスポートパケットが保存の対象である必要性はない。
【００４６】
そこで、ストリームキャッシュメモリ１０７に保存されたパケットの内容を解析した上で、当該トランスポートパケットがセクション形式のデータか、あるいは、Ｖｉｄｅｏ／ＡｕｄｉｏのＰＥＳデータかを判別するストリーム種類解析判定手段２０８を設けたものである。これにより、ストリームキャッシュメモリ１０７の搭載記憶容量を減少させるとともに、選局時間処理の効率化を図り、さらに、選局時間の短縮を行う。
【００４７】
以下、具体的なストリーム種類解析判定手段２０８の動作について説明する。
【００４８】
図４は、本発明における選局に必要なパケット情報を取得する場合の例を示す図である。
【００４９】
ストリーム種類解析判定手段２０８は、ストリームキャッシュメモリ１０７に保存されたパケット内のビット配列のパターンを解析し、例えば、セクションデータのＰＭＴであるか、その他のＳＩ情報であるか、ＶｉｄｅｏストリームのＰＥＳ形式のデータであるかあるいは、ＡｕｄｉｏストリームのＰＥＳ形式のデータであるかを判別する部分であるストリームキャッシュメモリ２０７へ入力されたトランスポートパケットが、セクションデータのＰＭＴまたは、ＶｉｄｅｏストリームのＰＥＳ形式、ＡｕｄｉｏストリームのＰＥＳ形式であれば、ストリーム種類解析判定手段２０８は、図３に示したように、ストリームキャッシュメモリ２０７内に、パケットのＰＩＤの属性として、識別したストリームの種類及びそのパケットの保存を行う。
【００５０】
上記に示した以外の形式のパケットであれば、ストリームキャッシュメモリ１０７には保存しない。これにより、ストリームキャッシュメモリ１０７に保存するべきパケット群を限定することによりストリームキャッシュメモリ１０７の搭載記憶容量を減らすことができる。
【００５１】
次に、セクションデータのＰＭＴを取得して選局処理時間が短縮できる場合の例について図４を用いて説明する。
【００５２】
ストリーム種類解析判定手段２０８は、ストリームキャッシュメモリ１０７に保存したパケットの内容を上述したストリームの種類を判定することにより、例えば、前述のセクションデータがＰＭＴだった場合、なおかつ、そのＰＭＴを構成する全てのトランスポートパケットがストリームキャッシュメモリ１０７に保存された場合、セクションフィルタ１０４の解析よりも先行して解析ができるため、Ａｕｄｉｏ／ＶｉｄｅｏストリームのＰＩＤも先行して取得することができる。すなわち、図４に示すように、ＰＡＴが取得された時、既にストリームキャッシュメモリ１０７には、ＰＭＴが保存されているため、そのＰＭＴを即座にセクションフィルタ１０４へ転送することが可能である。また、一方でＡｕｄｉｏ／ＶｉｄｅｏストリームのＰＩＤも先行して取得することができるので、ストリーム種類解析判定手段２０８は、ストリームキャッシュメモリ１０７に保存されたパケット内のビット配列パターンの解析を開始することができる。従って、選局処理にあたって、選局処理遅延時間をさらに減少することが可能である。
【００５３】
また、先行してＡｕｄｉｏ／ＶｉｄｅｏストリームのＴＳパケットを取得できるので、ストリームキャッシュメモリ２０７から映像のフォーマット情報や音声の周波数情報を抜き出し、バックエンド系の設定処理を先行して行うことができる。これにより選局処理時間をさらに短縮することが可能である。
【００５４】
【発明の効果】
以上、説明したように本発明によれば、デジタル放送信号からパケットを抽出する時、先行してパケット情報を取得することが出来るため選局時間を短縮することが出来る。
【００５５】
また、本発明を用いれば、過去の選局時の経験情報や、放送仕様の範例に依らないため、さまざまなデジタル放送へ対応し利用することができる。
【図面の簡単な説明】
【図１】本発明の第１の実施形態に係るデジタル放送受信装置を示すブロック図である。
【図２】本発明の第２の実施形態に係るデジタル放送受信装置を示すブロック図である。
【図３】図３は、ストリームキャッシュメモリ１０７のメモリ構成を示す図である。
【図４】本発明における選局に必要なパケット情報を取得する場合の例を示す図である。
【図５】従来における選局に必要なパケット情報を取得する場合の例を示す図である。
【符号の説明】
１００    チューナ及び復調部
１０１    パケット分離手段
１０２    ストリームキャッシュ制御手段
１０３、１０６    ＤＭＡＣ
１０４    セクションフィルタ
１０５    ＡＶデコーダ
１０７    ストリームキャッシュメモリ
２０８    ストリーム種類解析判定手段
【図１】
2004312629.tif 000003
【図２】
2004312629.tif 000004
【図３】
2004312629.tif 000005
【図４】
2004312629.tif 000006
【図５】
2004312629.tif 000007